(57)【特許請求の範囲】
【請求項１】
便器の洗浄水タンクに洗浄水を供給する洗浄水供給装置であって、
外部の給水源に接続された給水管及びこの給水管から供給される洗浄水の洗浄水タンク内への吐水及び止水を切り替える給水弁を備えた給水部と、
この給水部に取り付けられた小タンクと、
この小タンク内に設けられ、その水位の変動に伴って上記小タンクに対して上下方向に摺動するフロートと、
一端部が上記給水弁に取り付けられると共に他端部が上記フロートに取り付けられ、上記フロートと共に上下動することにより上記給水弁の吐水及び止水を切り替え、さらに、上記給水弁を開弁させて洗浄水タンク内に洗浄水を給水させるアームと、
上記アームの他端部が取り付けられる上記フロートの取付位置を変更することにより、上記アームが上記給水弁を開弁させて洗浄水タンク内に洗浄水を給水させるときのタイミングを調整する給水タイミング調整手段と、を有し、
上記小タンクは、小タンク本体を備え、上記フロートは、上記小タンク本体内に上下方向に摺動可能に取り付けられたフロート本体と、上記アームと上記フロート本体との相対位置を調整可能に上記アーム及び上記フロート本体に取り付けられたフロート位置調整部材と、を備え、このフロート位置調整部材は、上記アームの他端部が取り付けられる第１の取付部と、この第１の取付部よりも下方に設けられ且つ上記フロート本体が取り付けられる第２の取付部と、を備え、上記第１の取付部に取り付けられる上記アームの他端部と上記第２の取付部に取り付けられる上記フロート本体との相対位置が調整可能であり、
上記給水タイミング調整手段は、上記アームの他端部と上記フロート位置調整部材の第１の取付部との取付部に設けられると共に、上記フロート位置調整部材の上記第１の取付部及び上記第２の取付部が上下方向に変更可能な取付位置変更手段を備えていることを特徴とする洗浄水供給装置。
【請求項２】
上記給水タイミング調整手段は、更に、上記フロート位置調整部材の第１の取付部に取り付けられる上記アームの取付部が上記フロート位置調整部材の上記取付位置変更手段に着脱可能に連結される連結部を備えている請求項１記載の洗浄水供給装置。
【請求項３】
上記取付位置変更手段は、上記フロート位置調整部材の上記第１の取付部に上下方向に複数段変更可能に形成された複数の取付溝を備えている請求項１又は２に記載の洗浄水供給装置。
【請求項４】
便器に洗浄水を供給する洗浄水タンクであって、
上記請求項１乃至３の何れか１項に記載の洗浄水供給装置を有することを特徴とする洗浄水タンク。
【発明の詳細な説明】
【技術分野】
【０００１】
本発明は、洗浄水供給装置、及び、それを有する洗浄水タンクに係わり、特に、便器の洗浄水タンクに洗浄水を供給する洗浄水供給装置、及び、それを有する洗浄水タンクに関する。
【背景技術】
【０００２】
従来から、便器の洗浄水タンクに洗浄水を供給する洗浄水供給装置として、例えば、特許文献１に記載されているように、洗浄水タンクから水洗便器への洗浄水の排水中に洗浄水供給装置の給水管から洗浄水タンクに給水される洗浄水（いわゆる「追っかけ水」）を減少させて節水効果を得るために、洗浄水供給装置の小タンク内にフロートを設け、このフロートが小タンク内の水位に伴って上下動することにより、洗浄水供給装置の給水管から便器の洗浄水タンクに給水するタイミングを遅らせるものが知られている。
【先行技術文献】
【特許文献】
【０００３】
【特許文献１】米国特許第６６６６２２８号明細書
【発明の概要】
【発明が解決しようとする課題】
【０００４】
しかしながら、上述した従来の洗浄水供給装置においては、洗浄水量が異なる水洗便器の仕様や使用状況に応じて、給水管から便器の洗浄水タンクに給水するタイミングを適宜調整することができず、水洗便器の仕様や使用状況にかかわらず水洗便器の洗浄性能を維持していくことが難しいという問題がある。
また、洗浄水量が異なる水洗便器の仕様や使用状況に応じて、給水管から便器の洗浄水タンクに給水するタイミングを調整するには、小タンクの位置や形状を変更したり、洗浄水タンク内の洗浄水の止水水位を変更したりする等の設計変更が強いられ、製造の手間やコストがかかるため、給水管から便器の洗浄水タンクに給水するタイミングを調整するより簡易な手段が要請されている。
【０００５】
そこで、本発明は、上述した従来技術の問題点や要請を解消するためになされたものであり、洗浄水量が異なる水洗便器の仕様や使用状況に応じて、便器洗浄性能を損なうことなく、給水部から洗浄水タンク内への洗浄水の給水タイミングを簡易に調整することができる洗浄水供給装置、及び、それを有する洗浄水タンクを提供することを目的としている。
【課題を解決するための手段】
【０００６】
上記の目的を達成するために、本発明は、便器の洗浄水タンクに洗浄水を供給する洗浄水供給装置であって、外部の給水源に接続された給水管及びこの給水管から供給される洗浄水の洗浄水タンク内への吐水及び止水を切り替える給水弁を備えた給水部と、この給水部に取り付けられた小タンクと、この小タンク内に設けられ、その水位の変動に伴って上記小タンクに対して上下方向に摺動するフロートと、一端部が上記給水弁に取り付けられると共に他端部が上記フロートに取り付けられ、上記フロートと共に上下動することにより上記給水弁の吐水及び止水を切り替え、さらに、上記給水弁を開弁させて洗浄水タンク内に洗浄水を給水させるアームと、上記アームの他端部が取り付けられる上記フロートの取付位置を変更することにより、上記アームが上記給水弁を開弁させて洗浄水タンク内に洗浄水を給水させるときのタイミングを調整する給水タイミング調整手段と、を有し、上記小タンクは、小タンク本体を備え、上記フロートは、上記小タンク本体内に上下方向に摺動可能に取り付けられたフロート本体と、上記アームと上記フロート本体との相対位置を調整可能に上記アーム及び上記フロート本体に取り付けられたフロート位置調整部材と、を備え、このフロート位置調整部材は、上記アームの他端部が取り付けられる第１の取付部と、この第１の取付部よりも下方に設けられ且つ上記フロート本体が取り付けられる第２の取付部と、を備え、上記第１の取付部に取り付けられる上記アームの他端部と上記第２の取付部に取り付けられる上記フロート本体との相対位置が調整可能であり、上記給水タイミング調整手段は、上記アームの他端部と上記フロート位置調整部材の第１の取付部との取付部に設けられると共に、上記フロート位置調整部材の上記第１の取付部及び上記第２の取付部が上下方向に変更可能な取付位置変更手段を備えていることを特徴としている。
このように構成された本発明においては、アームの他端部が取り付けられるフロートの取付位置を変更することにより、アームが給水弁を開弁させて洗浄水タンク内に洗浄水を給水させるときのタイミングを調整する給水タイミング調整手段を有しているため、洗浄水量が異なる便器の仕様や使用状況に応じて、便器洗浄性能を損なうことなく、給水部から洗浄水タンク内への洗浄水の給水タイミングを簡易に調整することができる。例えば、小タンクの位置や形状を変更したり、洗浄水タンク内の洗浄水の止水水位を変更したりすることなく、給水部から洗浄水タンク内への洗浄水の給水タイミングを簡易に調整することができるため、洗浄水タンクから水洗便器への排水量を変更することなく便器洗浄性能を維持することができる。また、給水タイミング調整手段がアームの他端部とフロート位置調整部材の第１の取付部との取付部に設けられると共に、フロート位置調整部材の第１の取付部及び第２の取付部が上下方向に変更可能な取付位置変更手段を備えているため、簡易な給水タイミング調整手段の構造によって、洗浄水量が異なる便器の仕様や使用状況に応じて、アームとフロート本体との相対位置を適宜調整することができるため、便器洗浄性能を損なうことなく、給水部から洗浄水タンク内への洗浄水の給水タイミングを簡易に調整することができる。
【０００８】
本発明において、好ましくは、上記給水タイミング調整手段は、更に、上記フロート位置調整部材の第１の取付部に取り付けられる上記アームの取付部が上記フロート位置調整部材の上記取付位置変更手段に着脱可能に連結される連結部を備えている。
このように構成された本発明においては、給水タイミング調整手段が、更に、フロート位置調整部材の第１の取付部に取り付けられるアームの取付部がフロート位置調整部材の取付位置変更手段に着脱可能に連結される連結部を備えているため、より簡易な給水タイミング調整手段の構造によって、洗浄水量が異なる便器の仕様や使用状況に応じて、アームとフロート本体との相対位置を適宜調整することができるため、便器洗浄性能を損なうことなく、給水部から洗浄水タンク内への洗浄水の給水タイミングを簡易に調整することができる。
【０００９】
本発明において、好ましくは、上記取付位置変更手段は、上記フロート位置調整部材の上記第１の取付部に上下方向に複数段変更可能に形成された複数の取付溝を備えている。
このように構成された本発明においては、フロート位置調整部材の第１の取付部に上下方向に複数段変更可能に形成された複数の取付溝を備えているため、洗浄水量が異なる水洗便器の仕様や使用状況に応じて、アームとフロート本体との相対位置を適宜調整することができるため、便器洗浄性能を損なうことなく、給水部から洗浄水タンク内への洗浄水の給水タイミングを簡易に調整することができる。
【００１０】
また、本発明において、便器に洗浄水を供給する洗浄水タンクであって、上記洗浄水供給装置を有することを特徴としている。
このように構成された本発明においては、洗浄水量が異なる便器の仕様や使用状況に応じて、便器洗浄性能を損なうことなく、給水部から洗浄水タンク内への洗浄水の給水タイミングを簡易に調整することができる洗浄水タンクを提供することができる。
【発明の効果】
【００１１】
本発明の洗浄水供給装置、及び、それを有する洗浄水タンクによれば、洗浄水量が異なる水洗便器の仕様や使用状況に応じて、便器洗浄性能を損なうことなく、給水部から洗浄水タンク内への洗浄水の給水タイミングを簡易に調整することができる。
【図面の簡単な説明】
【００１２】
【図１】本発明の一実施形態による洗浄水供給装置が適用される水洗便器の断面図である。
【図２】本発明の一実施形態による洗浄水供給装置を含むロータンクの内部構造を示す正面断面図である。
【図３】本発明の一実施形態による洗浄水供給装置を示す展開斜視図である。
【図４】本発明の一実施形態による洗浄水供給装置を示す縦断面図である。
【図５】（ａ）〜（ｃ）は本発明の一実施形態による第１の給水タイミングモードに設定された洗浄水供給装置の止水状態、吐水開始状態、及び、吐水中状態をそれぞれ示す部分正面断面図である。
【図６】（ａ）〜（ｃ）は本発明の一実施形態による第２の給水タイミングモードに設定された洗浄水供給装置の止水状態、吐水開始状態、及び、吐水中状態をそれぞれ示す部分正面断面図である。
【発明を実施するための形態】
【００１３】
以下、添付図面により、本発明の一実施形態による洗浄水供給装置を説明する。
まず、図１により、本発明の一実施形態による洗浄水供給装置が適用される便器の一例を説明する。
図１は本実施形態による洗浄水供給装置が適用される水洗便器の断面図である。
図１に示すように、符号１は水洗便器を示し、この水洗便器１の上部の前方側には、ボウル部２が形成され、後方側の上部には導水路４が、導水路４の下方にはボウル部２と連通する排水トラップ管路６が、それぞれ形成されている。
【００１４】
水洗便器１のボウル部２の上縁部にはオーバーハング形状のリム８が形成され、このリム８に導水路４から洗浄水が供給される１つ又は２つのリム吐水口１０が形成され、洗浄水が旋回しながら下降してボウル部２を洗浄できるようになっている。
また、ボウル部２の中心下部には、導水路４から洗浄水が供給されるジェット吐水口１２が形成され、このジェット吐水口１２から洗浄水が排水トラップ管路６に向けて吐水され、サイホンを短時間で発生させるようになっている。
【００１５】
水洗便器１の導水路４の上方には、水洗便器１に供給する洗浄水を貯留する洗浄水タンクであるロータンク１４が設けられている。このロータンク１４の底部１４ａには、水洗便器１の導水路４と連通する連通口１４ｂが形成されている。このロータンク１４の内部には、ロータンク１４に給水するタイミングを調整することができる本発明の一実施形態による洗浄水供給装置２０を含む種々の機器が設けられている。
【００１６】
つぎに、図２により、ロータンク１４内に設けられた本実施形態による洗浄水供給装置２０を含む種々の機器について説明する。
図２は本実施形態による洗浄水供給装置を含むロータンクの内部構造を示す正面断面図である。
図２に示すように、ロータンク１４内には、排水弁１６、オーバーフロー管１８、洗浄水供給装置２０が設けられている。
【００１７】
具体的には、排水弁１６は、大洗浄用の弁体１６ａと小洗浄用の弁体１６ｂを備え、両弁体１６ａ，１６ｂは、ロータンク１４の底部１４ａの連通口１４ｂの部分に設けられている。
また、両弁体１６ａ，１６ｂは、それぞれの排水弁用のフロート１６ｃ，１６ｄを介して、操作レバー１７に接続された玉鎖１６ｅ，１６ｆにそれぞれ接続されており、操作レバー１７を操作して大洗浄又は小洗浄のモードを切り替えることにより、大洗浄用の弁体１６ａ又は小洗浄用の弁体１６ｂの開閉操作が行われるようになっている。
【００１８】
さらに、排水弁１６は、閉操作により洗浄水をロータンク１４内に貯水し、開操作により、ロータンク１４内の洗浄水を水洗便器１の導水路４を経由して、リム吐水口１０及びジェット吐水口１２に導くようになっている。
【００１９】
また、オーバーフロー管１８は、その上端に開口１８ａが形成されその下端が排水弁１６の弁座１６ｇに連通するように設けられている。このオーバーフロー管１８により、洗浄水の水位が万一上昇しても、開口１８ａから、洗浄水がオーバーフローし、排水弁１６の弁座１６ｇを経由して、さらに、水洗便器１の導水路４を経て、リム吐水口１０とジェット吐水口１２から、ボウル部２内に排出されるようになっている。
【００２０】
つぎに、図２〜図４、図５（ａ）〜（ｃ）、及び、図６（ａ）〜（ｃ）を参照して、本発明の一実施形態による洗浄水供給装置２０の詳細について説明する。
図３は本実施形態による洗浄水供給装置を示す展開斜視図であり、図４は本実施形態による洗浄水供給装置を示す縦断面図である。
また、図５（ａ）〜（ｃ）は本実施形態による第１の給水タイミングモードに設定された洗浄水供給装置の止水状態、吐水開始状態、及び、吐水中状態をそれぞれ示す部分正面断面図である。
さらに、図６（ａ）〜図６（ｃ）は本実施形態による第２の給水タイミングモードに設定された洗浄水供給装置の止水状態、吐水開始状態、及び、吐水中状態をそれぞれ示す部分正面断面図である。
なお、図２、図５（ａ）、及び、図６（ａ）においては、止水時のロータンク内の水位及び洗浄水供給装置の小タンク内の水位を符号Ｗ０で示している。また、図５（ｂ）及び図６（ｂ）においては、吐水開始時の洗浄水供給装置の小タンク内の水位をＷ１で示している。
【００２１】
まず、図２〜図４、図５（ａ）〜（ｃ）、及び、図６（ａ）〜（ｃ）に示すように、本実施形態の洗浄水供給装置２０は、給水管２２、給水バルブ２４、フロート２６、小タンク２８、及び、レバーアーム３０を備えている。
【００２２】
給水管２２は、ロータンク１４の底部１４ａに取り付けられ、外部の水道等の給水源（図示せず）に接続され、洗浄水をロータンク１４内に供給するようになっている。
この給水管２２は、中心部に給水路２２ａが形成され、この給水路２２ａの下流側端部（図４における給水路２２ａの上端部）には、ダイヤフラム式の給水バルブ２４が設けられている。
【００２３】
給水バルブ２４は、バルブハウジング２４ａと、このバルブハウジング２４ａ内に上下方向に移動可能に設けられてシート面２４ｂを開閉するダイヤフラム２４ｃと、このダイヤフラム２４ｃに取り付けられてバルブハウジング２４ａ内をダイヤフラム２４ｃと共に一体的に上下方向に移動可能な弁体２４ｄを備えている。
また、ダイヤフラム２４ｃには、ブリード穴（図示せず）が形成され、このブリード（図示せず）により、給水管２２の給水路２２ａとダイヤフラム２４ｃの上側にある背圧室２４ｅとが連通されている。この背圧室２４ｅの上部には、背圧抜き穴２４ｆが形成されている。
【００２４】
また、給水バルブ２４のバルブハウジング２４ａのフロート２６側の斜め下方には、ダイヤフラム２４ｃを介して給水管２２の給水路２２ａに連通する吐水管３２が設けられている。
この吐水管３２は、給水バルブ２４のダイヤフラム２４ｃが開弁すると、ほぼ給水源（図示せず）の水圧に等しい給水管２２の給水路２２ａの洗浄水の一部をロータンク１４内に向けて吐水する吐水部として機能している。
【００２５】
さらに、給水バルブ２４のバルブハウジング２４ａの上面には、レバーアーム３０が取り付けられている。
このレバーアーム３０は、給水バルブ側端部３０ａ（図２〜図４におけるレバーアーム３０の左側端部）からフロート側端部３０ｂ（図２〜図４におけるレバーアーム３０の右側端部）にかけてクランク状に延びており、この給水バルブ側端部３０ａは、給水バルブ２４のバルブハウジング２４ａの上面に回動可能に取り付けられている。
【００２６】
一方、レバーアーム３０のフロート側端部３０ｂは、詳細は後述するフロート２６のフロート本体２６ａとレバーアーム３０との上下方向の相対位置を調整するフロート位置調整部材２６ｂ（詳細は後述する）の上端部に上下方向に複数段階状（三段階状）に形成された上段取付溝２６ｃ（上段取付位置Ｐ１）、中段取付溝２６ｄ（中段取付位置Ｐ２）、及び、下段取付溝２６ｅ（下段取付位置Ｐ３）のうちのいずれかに着脱可能に取り付けることができるようになっている。
また、レバーアーム３０のフロート側端部３０ｂは、上方から見てＵ字形或いはＣ字形に形成されており、レバーアーム３０のフロート側端部３０ｂとフロート位置調整部材２６ｂの所定の取付溝２６ｃ，２６ｄ，２６ｅとの連結部には、所定の遊び空間３４が形成されている（図５（ａ）参照）。
ちなみに、フロート位置調整部材２６ｂの上段取付溝２６ｃ、中段取付溝２６ｄ、及び、下段取付溝２６ｅとレバーアーム３０のフロート側端部３０ｂは、ロータンク１４から水洗便器１に所定量の洗浄水が供給されている間に給水バルブ２４が開弁してロータンク１４内に洗浄水が給水されるときのタイミングを調整する給水タイミング調整手段として機能するようになっている。
【００２７】
さらに、レバーアーム３０の給水バルブ側端部３０ａには、背圧抜き穴２４ｆを開閉するトップシール３０ｃが取り付けられており（図４参照）、レバーアーム３０は、そのフロート側端部３０ｂがフロート２６と共に上下動することにより、レバーアーム３０の左側端部３０ａが支点３０ｄ（図３参照）を中心に揺動運動ができるようになっており、給水バルブ２４の吐水及び止水が切り替えられるようになっている。
【００２８】
また、給水バルブ２４は、給水管２２から吐水管３２とは別に分岐して設けられた手洗い給水管３６を備えている（図２参照）。この手洗い給水管３６は、ロータンク１４の上に着脱自在に固定され且つその上面に手洗い鉢１４ｃを形成する蓋１４ｄに設けられた手洗いカラン１４ｅに接続されている。給水管２２の給水路２２ａの洗浄水の一部は手洗い給水管３６を通過して手洗いカラン１４ｅの吐水口１４ｆから手洗い鉢１４ｃ内に吐水され、手洗い鉢１４ｃの排水口１４ｇからロータンク１４内に排水されるようになっている。
【００２９】
つぎに、図３、図４、図５（ａ）〜（ｃ）、及び、図６（ａ）〜（ｃ）を参照して、フロート２６及び小タンク２８の詳細について説明する。
図３、図４、図５（ａ）〜（ｃ）、及び、図６（ａ）〜（ｃ）に示すように、フロート２６は、フロート本体２６ａとフロート位置調整部材２６ｂを備え、小タンク２８は、小タンク本体２８ａと小タンク位置調整部材２８ｂを備えている。
【００３０】
まず、給水管２２及び給水バルブ２４を構成する給水部の一部分には、上下方向に延びるように柱部材３８が固定されており、この柱部材３８の下端部には、雄ねじ２８ｃを備えたスリーブ状の小タンク位置調整部材２８ｂがその中心軸線回りに回転可能に取り付けられている。
【００３１】
つぎに、小タンク本体２８ａは、上方が開口し、フロート本体２６ａを上下方向に摺動可能に収容する桶状の部材であり、柱部材３８に沿って摺動可能に取り付けられている。
また、小タンク本体２８ａの底部のほぼ中央部には、小タンク本体２８ａの上端にかけて上方に突出する突出穴２８ｄが形成され、この小タンク本体２８ａの突出穴２８ｄには、雌ねじ２８ｅが形成されており、小タンク位置調整部材２８ｂが螺合されている。そして、小タンク位置調整部材２８ｂをその中心軸線Ａ１の回りに回転させると、その回転方向に応じて小タンク本体２８ａが柱部材３８に沿って上下方向に摺動し、小タンク本体２８ａの上下方向の位置が変更可能となっている。
【００３２】
つぎに、フロート本体２６ａは、その下端のみが開口しており、浮力を発生させる浮力発生部２６ｆを備えている。
また、フロート本体２６ａは、その中央部２６ｇがフロート本体２６ａの内部から外側上方に向ってほぼ円筒状に延びている。
より具体的には、フロート本体２６ａが小タンク本体２８ａ内に収容された状態では、フロート本体２６ａの中央部２６ｇにおけるフロート本体２６ａ内部の浮力発生部２６ｆに相当する部分が、小タンク本体２８ａの突出穴２８ｄの周囲を所定間隔を置いて取り囲むように上下方向にほぼ円筒状に形成される共に、浮力発生部２６ｆの上縁部２６ｈから上方に突出して延びてほぼ円筒状に形成されている。
【００３３】
さらに、フロート位置調整部材２６ｂは、上下方向に延びる棒状の部材であり、その上端部に形成された上下方向に複数段階状（三段階状）に形成された上段取付溝２６ｃ、中段取付溝２６ｄ、及び、下段取付溝２６ｅのうちのいずれかにレバーアーム３０のフロート側端部３０ｂが着脱可能に取り付けられる。
また、レバーアーム３０のフロート側端部３０ｂがフロート位置調整部材２６ｂの上段取付溝２６ｃ、中段取付溝２６ｄ、及び、下段取付溝２６ｅのうちのいずれかに取り付けられる取付位置Ｐ１，Ｐ２，Ｐ３を洗浄水量が異なる水洗便器の仕様や使用状況に応じて切り替えることにより、洗浄水供給装置２０を所定の給水タイミングモード（詳細は後述する）に設定し、吐水管３２からロータンク１４内への吐水を開始するタイミングや手洗いカラン１４ｅの吐水口１４ｆから手洗い鉢１４ｃ内への吐水を開始するタイミングを遅延させたり（図５（ａ）〜（ｃ）に示す第１の給水タイミングモード参照）、早めたりする（図６（ａ）〜（ｃ）に示す第２の給水タイミングモード参照）ことができるようになっている。
【００３４】
ちなみに、図２、図４、及び、図５（ａ）〜（ｃ）に示す本実施形態の洗浄水供給装置２０においては、レバーアーム３０のフロート側端部３０ｂをフロート位置調整部材２６ｂの最上段の取付溝２６ｃ（上段取付位置Ｐ１）に取り付けることにより、第１の給水タイミングモードに設定している例について説明するが、上段取付位置Ｐ１よりも下段の中段取付位置Ｐ２、これよりもさらに下段に位置する下段取付位置Ｐ３に取り付ける程、吐水を開始するタイミングを早めることができるようになっている。
また、本実施形態の洗浄水供給装置２０においては、フロート位置調整部材２６ｂに三段階の取付溝２６ｃ，２６ｄ，２６ｅを設けた形態について説明するが、取付溝については、二段階に設定してもよいし、四段階以上の多段階に設定し、さらに細やかに給水タイミングを調整できるようにしてもよい。
【００３５】
つぎに、フロート位置調整部材２６ｂは、その中間部に雄ねじ２６ｉが形成され、フロート本体２６ａの中央部２６ｇの上端内周部に形成された雌ねじ２６ｊに螺合されている。そして、フロート位置調整部材２６ｂをその中心軸線Ａ２の回りに回転させると、その回転方向に応じてフロート本体２６ａがフロート位置調整部材２６ｂに沿って上下方向に摺動し、フロート本体２６ａとレバーアーム３０のフロート側端部３０ｂとの上下方向の相対位置が変更可能となっている。
【００３６】
さらに、フロート位置調整部材２６ｂの下端部は、小タンク位置調整部材２８ｂの中央部を上下方向に貫いて延びる貫通穴２８ｆに挿入され、小タンク位置調整部材２８ｂの中心軸線Ａ１と同一の軸線上に沿って貫通穴２８ｆ内を上下方向に摺動可能な摺動部２６ｋを形成している。
また、小タンク位置調整部材２８ｂの貫通穴２８ｆの上端内周部には、その内方に突出してフロート位置調整部材２６ｂの摺動部２６ｋを上下方向に摺動可能に保持する突起２８ｇが形成されている。
ここで、図５（ａ）及び図６（ａ）に示すように、止水状態の洗浄水供給装置２０においては、小タンク位置調整部材２８ｂの貫通穴２８ｆの突起２８ｇ、及び、この貫通穴２８ｆの中を摺動するフロート位置調整部材２６ｂの摺動部２６ｋがロータンク１４内の洗浄水の止水水位Ｗ０よりも下方に位置するようになっている。
【００３７】
より具体的には、小タンク位置調整部材２８ｂの貫通穴２８ｆの突起２８ｇがフロート位置調整部材２６ｂの摺動部２６ｋを上下方向に摺動可能に保持しているため、小タンク位置調整部材２８ｂの中心軸線Ａ１と同一の軸線上にあるフロート位置調整部材２６ｂの中心軸線Ａ２の回りにフロート位置調整部材２６ｂを回転させると、その回転力がフロート位置調整部材２６ｂの摺動部２６ｋを介して小タンク位置調整部材２８ｂの貫通穴２８ｆの突起２８ｇに伝達し、小タンク位置調整部材２８ｂがその中心軸線Ａ１の回りに回転し、その回転方向に応じて小タンク本体２８ａが柱部材３８に沿って上下方向に摺動し、小タンク本体２８ａの上下方向の位置が変更可能となっている。
すなわち、フロート位置調整部材２６ｂをその中心軸線Ａ２の回りに回転させると、その回転方向に応じてフロート本体２６ａがフロート位置調整部材２６ｂに沿って上下方向に摺動し、フロート本体２６ａとレバーアーム３０のフロート側端部３０ｂとの上下方向の相対位置が変更されると共に、小タンク位置調整部材２８ｂがその中心軸線Ａ１の回りに回転し、その回転方向に応じて小タンク本体２８ａが柱部材３８に沿って上下方向に摺動し、小タンク本体２８ａの上下方向の位置が変更可能となっている。
【００３８】
さらに、小タンク本体２８ａの底面の一部には、小タンク本体２８ａとロータンク１４内とを連通する連通孔２８ｈが形成され、この連通孔２８ｈには、逆止弁として機能するボール弁２８ｉが設けられている。
このボール弁２８ｉは、ロータンク１４内の水位の浮力によって浮いているため、ロータンク１４の水位が小タンク本体２８ａの底面を上回っている状態においては、連通孔２８ｈを閉鎖している。
一方、ロータンク１４内の水位が小タンク本体２８ａの底面を下回ると、ボール弁２８ｉが連通孔２８ｈを開放するように下降し、小タンク本体２８ａ内に収容されている洗浄水が連通孔２８ｈからロータンク１４内へ流出するようになっている。
【００３９】
また、上述したように、フロート位置調整部材２６ｂをその中心軸線Ａ２の回りに回転させることにより、フロート本体２６ａとレバーアーム３０のフロート側端部３０ｂとの上下方向の相対位置が変更されると共に、小タンク本体２８ａの上下方向の位置が変更されるため、これに伴ってボール弁２８ｉの上下方向の位置も変更されて、ロータンク１４内の止水水位についても変更することができようになっている。
【００４０】
つぎに、図１〜図４、図５（ａ）〜（ｃ）、及び、図６（ａ）〜（ｃ）により、本発明の一実施形態による洗浄水供給装置の動作（作用）を説明する。
まず、第１の給水タイミングモードに設定された本実施形態の洗浄水供給装置２０の動作（作用）について説明する。
図２〜図４及び図５（ａ）〜（ｃ）に示すように、第１の給水タイミングモードに設定された本実施形態の洗浄水供給装置２０においては、レバーアーム３０のフロート側端部３０ｂがフロート位置調整部材２６ｂの最上段の取付溝２６ｃ（上段取付位置Ｐ１）に取り付けられている。
本実施形態の洗浄水供給装置２０が止水状態となる直前において、ロータンク１４内の水位が小タンク本体２８ａの上縁を超えると、ロータンク１４内の洗浄水が小タンク本体２８ａとフロート本体２６ａとの隙間から小タンク本体２８ａ内に流入する。
そして、フロート本体２６ａは、小タンク本体２８ａ内の水位の上昇と共に浮力発生部２６ｆが受けた浮力により、小タンク本体２８ａに対して上昇する。
【００４１】
つぎに、フロート本体２６ａの上昇に伴って、フロート位置調整部材２６ｂについてもフロート本体２６ａと共に上昇し、フロート位置調整部材２６ｂの取付溝２６ｃに連結されているレバーアーム３０のフロート側端部３０ｂが上昇する。
ここで、フロート位置調整部材２６ｂが上昇する際、フロート位置調整部材２６ｂの摺動部２６ｋが小タンク位置調整部材２８ｂの貫通穴２８ｆの中を上方に摺動する。
また、レバーアーム３０が、給水バルブ２４のダイヤフラム２４ｃを閉弁させるようにレバーアーム３０の左側端部３０ａの支点３０ｄ（図３参照）を中心に揺動する。その後、小タンク本体２８ａ内の水位がほぼ満水状態である最高水位となった場合には、フロート本体２６ａが最高位置まで浮上しており、給水バルブ２４のダイヤフラム２４ｃが完全に閉弁し、洗浄水供給装置２０が止水状態となり、ロータンク１４の水位はＷ０となる。
【００４２】
また、止水状態の洗浄水供給装置２０においては、小タンク位置調整部材２８ｂの貫通穴２８ｆ、及び、この貫通穴２８ｆの中を摺動するフロート位置調整部材２６ｂの摺動部２６ｋがロータンク１４内の洗浄水の止水水位Ｗ０よりも下方に位置している。
【００４３】
つぎに、便器使用者が水洗便器１の使用後に操作レバー１７を操作した場合、例えば、大洗浄の場合には、排水弁１６の弁体１６ａ，１６ｂの双方が開き、ロータンク１４内に貯水された洗浄水を水洗便器１へ流して水洗便器１を洗浄する。
この際、ロータンク１４内の水位は、洗浄水が水洗便器１へ排水されたことにより止水水位Ｗ０から減少し、ロータンク１４内の水位が小タンク本体２８ａの底面を下回ると、ボール弁２８ｉが連通孔２８ｈを開放するように下降し、小タンク本体２８ａ内に収容されている洗浄水が連通孔２８ｈからロータンク１４内へ流出する。
【００４４】
その後、図５（ｂ）に示すように、小タンク本体２８ａ内の水位がさらに減少して水位Ｗ１に達すると、フロート本体２６ａが、小タンク本体２８ａ内の水位の減少と浮力発生部２６ｆの浮力の減少に伴って下降する。
この際、レバーアーム３０のフロート側端部３０ｂについても下降し、フロート位置調整部材２６ｂの摺動部２６ｋが小タンク位置調整部材２８ｂの貫通穴２８ｆの中を下方に摺動する。
また、レバーアーム３０が、給水バルブ２４のダイヤフラム２４ｃを開弁させるようにレバーアーム３０の左側端部３０ａの支点３０ｄ（図３参照）を中心に揺動し、給水バルブ２４のダイヤフラム２４ｃが開弁されると、吐水管３２からロータンク１４内への吐水が開始されると共に、給水管２２から手洗い給水管３６を経て手洗いカラン１４ｅの吐水口１４ｆから手洗い鉢１４ｃ内への吐水が開始される。
また、手洗いカラン１４ｅの吐水口１４ｆから手洗い鉢１４ｃ内への吐水された水は、手洗い鉢１４ｃの排水口１４ｇからロータンク１４内に排水される。
【００４５】
その後、図５（ｃ）に示すように、吐水管３２からロータンク１４内への吐水が行われると共に手洗い鉢１４ｃの排水口１４ｇからロータンク１４内への排水が行われる一方で、これらのロータンク１４内に供給される吐水量と排水量を上回る量の排水がロータンク１４から水洗便器１に排水されており、いわゆる、追っかけ水がロータンク１４内に供給されている状態となる。
また、小タンク本体２８ａ内の水位がＷ１よりもさらに減少し、ほぼ空の状態に達し、フロート本体２６ａが最低位置まで降下する。
最終的には、ロータンク１４内に洗浄水の水位が所定水位Ｗ２（図２参照）に達した時点で排水弁１６が閉じられ、このロータンク１４の所定水位Ｗ２の状態から、吐水管３２からロータンク１４内への吐水と手洗い鉢１４ｃの排水口１４ｇからロータンク１４内への排水によって、再びロータンク１４内の水位が次第に上昇する。
【００４６】
その後、ロータンク１４内の水位が小タンク本体２８ａの上縁を超えて止水水位Ｗ０まで上昇すると、上述したように、フロート本体２６ａが上昇し、給水バルブ２４のダイヤフラム２４ｃが閉弁し、ロータンク１４内への洗浄水の供給は停止される。
この際、小タンク位置調整部材２８ｂの貫通穴２８ｆ、及び、この貫通穴２８ｆの中を摺動するフロート位置調整部材２６ｂの摺動部２６ｋがロータンク１４内の洗浄水の止水水位Ｗ０よりも下方に位置している状態となっている。
【００４７】
つぎに、第２の給水タイミングモードに設定された本実施形態の洗浄水供給装置２０の動作（作用）について説明する。
図６（ａ）〜図６（ｂ）に示すように、第２の給水タイミングモードに設定された本実施形態の洗浄水供給装置２０においては、レバーアーム３０のフロート側端部３０ｂがフロート位置調整部材２６ｂの最下段の取付溝２６ｅ（下段取付位置Ｐ３）に取り付けられることにより、上段取付位置Ｐ１や中段取付位置Ｐ２に取り付けたものよりも、小タンク本体２８ａに対するフロート本体２６ａの位置をより上方に位置させている。
【００４８】
また、第２の給水タイミングモードに設定することにより、タンク本体２８ａに対するフロート本体２６ａの位置が、第１の給水タイミングモードに設定したときのフロート本体２６ａの位置よりも上方に位置させることにより、フロート本体２６ａが下降し始める小タンク本体２８ａ内の水位Ｗ１もより上方に設定される。
この結果、第２の給水タイミングモードに設定した場合における吐水管３２からロータンク１４内への吐水を開始する給水タイミングや手洗いカラン１４ｅの吐水口１４ｆから手洗い鉢１４ｃ内への吐水を開始する給水タイミングが、第１の給水タイミングモードに設定した場合よりも早められる。
【００４９】
ちなみに、本実施形態では、一例として、レバーアーム３０のフロート側端部３０ｂをフロート位置調整部材２６ｂの中段の取付溝２６ｆ（中段取付位置Ｐ２）に取り付けられた場合における吐水管３２からロータンク１４内への吐水を開始する時間は、第１の給水タイミングモードに設定した場合よりも１秒短縮する。
また、第２の給水タイミングモードに設定した場合における吐水管３２からロータンク１４内への吐水を開始する時間は、第１の給水タイミングモードに設定した場合よりも２秒短縮する。
【００５０】
上述した本発明の一実施形態による洗浄水供給装置２０によれば、レバーアーム３０のフロート側端部３０ｂがフロート位置調整部材２６ｂの上段取付溝２６ｃ、中段取付溝２６ｄ、及び、下段取付溝２６ｅのうちのいずれかに取り付けられる取付位置Ｐ１，Ｐ２，Ｐ３を洗浄水量が異なる水洗便器の仕様や使用状況に応じて切り替えることにより、レバーアーム３０のフロート側端部３０ｂとフロート本体２６ａの上下方向の相対位置を適宜調整することができる。したがって、小タンク本体２８ａの位置や形状を変更したり、ロータンク１４内の洗浄水の止水水位Ｗ０を変更したりすることなく、ロータンク１４から水洗便器１に所定量の洗浄水が供給されている間に給水バルブ２４が開弁してロータンク１４内に洗浄水が給水されるときのタイミングを簡易に調整することができ、ロータンク１４から水洗便器１への排水量を変更することなく便器洗浄性能を維持することができる。
【００５１】
また、本実施形態による洗浄水供給装置２０によれば、ロータンク１４から水洗便器１に所定量の洗浄水が供給されている間に給水バルブ２４が開弁してロータンク１４内に洗浄水が給水されるときのタイミングを調整する給水タイミング調整手段として、フロート位置調整部材２６ｂの各取付溝２６ｃ，２６ｄ，２６ｅやこれらの取付溝２６ｃ，２６ｄ，２６ｅに着脱可能に連結されるレバーアーム３０のフロート側端部３０ｂの簡易な構造部材を採用しているため、洗浄水量が異なる水洗便器の仕様や使用状況に応じて、レバーアーム３０のフロート側端部３０ｂとフロート本体２６ａの上下方向の相対位置を適宜調整することができ、便器洗浄性能を損なうことなく、給水バルブ２４からロータンク１４内への洗浄水の給水タイミングを簡易に調整することができる。
【００５２】
なお、上述した本発明の一実施形態による洗浄水供給装置においては、一例として、手洗い鉢を備えた洗浄水タンクの形態に適用した例について説明したが、このような洗浄水タンクの形態に限定されず、手洗い鉢を備えていないような他の形態の洗浄水タンクにも適用可能である。
【符号の説明】
【００５３】
１    水洗便器
２    ボウル部
４    導水路
６    排水トラップ管路
８    リム
１０    リム吐水口
１２    ジェット吐水口
１４    ロータンク
１４ａ  ロータンクの底部
１４ｂ  連通口
１４ｃ  手洗い鉢
１４ｄ  蓋
１４ｅ  手洗いカラン
１４ｆ  手洗いカランの吐水口
１４ｇ  手洗い鉢の排水口
１６    排水弁
１６ａ  大洗浄用の弁体
１６ｂ  小洗浄用の弁体
１６ｃ，１６ｄ  排水弁用のフロート
１６ｅ，１６ｆ  玉鎖
１６ｇ  弁座
１７    操作レバー
１８    オーバーフロー管
２０    洗浄水供給装置
２２    給水管
２２ａ  給水路
２４    給水バルブ
２４ａ  バルブハウジング
２４ｂ  シート面
２４ｃ  ダイヤフラム
２４ｄ  弁体
２４ｅ  背圧室
２４ｆ  背圧抜き穴
２６    フロート
２６ａ  フロート本体
２６ｂ  フロート位置調整部材
２６ｃ，２６ｄ，２６ｅ  取付溝
２６ｆ  フロート本体の浮力発生部
２６ｇ  フロート本体の中央部
２６ｈ  フロート本体の浮力発生部の上縁部
２６ｉ  フロート位置調整部材の雄ねじ
２６ｊ  フロート本体の中央部の雌ねじ
２６ｋ  フロート位置調整部材の摺動部
２８    小タンク
２８ａ  小タンク本体
２８ｂ  小タンク位置調整部材
２８ｃ  小タンク位置調整部材の雄ねじ
２８ｄ  小タンク本体の突出穴
２８ｅ  小タンク本体の突出穴の雌ねじ
２８ｆ  小タンク位置調整部材の貫通穴
２８ｇ  小タンク位置調整部材の貫通穴の保持突起
２８ｈ  小タンク本体の連通孔
２８ｉ  ボール弁
３０    レバーアーム
３０ａ  レバーアームの給水バルブ側端部
３０ｂ  レバーアームのフロート側端部
３０ｃ  トップシール
３０ｄ  支点
３２    吐水管
３４    遊び空間
３６    手洗い給水管
３８    柱部材
【図１】
0005585927.tif 000002
【図２】
0005585927.tif 000003
【図３】
0005585927.tif 000004
【図４】
0005585927.tif 000005
【図５】
0005585927.tif 000006
【図６】
0005585927.tif 000007